(57)【要約】【課題】遊技者の介入性を高めるとともに、Ｖ入賞口の移動可能範囲を変化させてさらに面白味を加えたパチンコ遊技機を提供することを課題とする。【解決手段】役物装置６のＶ入賞口１４が遊技者による移動スイッチ１２の操作により移動自在に設けられている。移動可能範囲が、役物装置内の遊技領域の終端部において、玉の進行方向に直行する幅方向の全幅となる第１範囲ＷＬ１と、幅方向の３／５となる第２範囲ＷＬ２とに設定されている。移動可能範囲は、大当たり図柄に基づいて決定される。【選択図】図３
2005118424.tif 000002
【特許請求の範囲】
【請求項１】
玉の入賞を許容する開放状態と、玉の入賞を許容しない閉鎖状態とを呈する役物装置と、
この役物装置内に設けられ、遊技者の操作に応じて移動可能な特定入賞口と、
この特定入賞口を移動させるために遊技者が操作する操作手段と、
前記特定入賞口への入賞に応じて遊技者に特典を付与する特典付与手段と、
前記特定入賞口の移動可能範囲を遊技者の介入性が異なる複数の範囲に設定する特定入賞口移動範囲設定手段と、
を備えたことを特徴とするパチンコ遊技機。
【請求項２】
前記特定入賞口移動範囲設定手段は、前記特定入賞口の移動可能範囲を遊技者の介入性が高い第１範囲と、この第１範囲よりも遊技者の介入性が低い第２範囲とに設定することを特徴とする請求項１記載のパチンコ遊技機。
【請求項３】
前記特定入賞口は、前記役物装置内に入った玉の転動方向下流側において、その転動方向に交差する方向に遊技者の操作により移動自在に設けられ、
前記特定入賞口移動範囲設定手段は、前記特定入賞口の移動可能範囲を、遊技領域の前記交差する方向（幅方向ともいう）の所定幅となる第１範囲と、この第１範囲より狭く前記幅方向の一部幅となる第２範囲とに設定することを特徴とする請求項１又は２記載のパチンコ遊技機。
【請求項４】
所定のスタート条件の成立に応じて当たりか否かの抽選を実行する当否抽選手段と、
この当否抽選手段による抽選結果に基づいて図柄を変動表示する図柄変動表示手段と、
この図柄変動表示手段が示す特定図柄に基づいて前記特定入賞口の移動可能範囲を前記第１範囲又は第２範囲のいずれかに決定する特定入賞口移動範囲決定手段と、
を備えたことを特徴とする請求項２又は３記載のパチンコ遊技機。
【請求項５】
開放状態と閉鎖状態とを呈し、所定の開放条件の成立に応じて前記閉鎖状態から前記開放状態に変化する前記役物装置が備える可変入賞口と、
この可変入賞口の開放状態が維持される所定の開放時間内に前記特定入賞口に入賞した玉の個数を計数する計数手段と、
この計数手段が計数する計数値を表示する入賞個数表示手段と、を備え、
前記特典付与手段は、前記可変入賞口が閉鎖状態となった後、前記計数手段の計数した数量に相当する回数だけラウンドを実行することを特徴とする請求項１ないし４のいずれか１項に記載のパチンコ遊技機。
【請求項６】
前記可変入賞口の開放状態が維持される所定開放時間を表示する開放時間表示手段を備えたことを特徴とする請求項５記載のパチンコ遊技機。
【発明の詳細な説明】
【技術分野】
【０００１】
本発明は、パチンコ遊技機に関する。
【背景技術】
【０００２】
従来、パチンコ遊技機においては、例えば特許文献１に示されるように所定の開放条件が成立すると入賞口が開放し、役物装置内への玉の入賞が許容される。その後、この役物装置（選抜装置）内のＶ入賞口（移動通過口）に入賞すると大当たりを発生する等の特典を遊技者に付与する仕組みを備えている。そして、Ｖ入賞口を遊技者の操作により移動自在とし、遊技者の介入性を高めたパチンコ遊技機がある。
【０００３】
【特許文献１】特開平１０−２４４０３６号公報
【発明の開示】
【発明が解決しようとする課題】
【０００４】
このように、Ｖ入賞口を移動させて、遊技者の介入度により一定量の出玉は獲得できる。しかしながら、移動可能な範囲は一定であり、マンネリ化し易くいまひとつ面白味に欠ける面があった。
【０００５】
本発明は上記した背景をもとになされたもので、遊技者の介入性を高めるとともに、Ｖ入賞口の移動可能範囲を変化させてさらに面白味を加えたパチンコ遊技機を提供することを課題とする。
【課題を解決するための手段及び発明の効果】
【０００６】
上記課題を解決するために本発明パチンコ遊技機は、玉の入賞を許容する開放状態と、玉の入賞を許容しない閉鎖状態とを呈する役物装置と、
この役物装置内に設けられ、遊技者の操作に応じて移動可能な特定入賞口と、
この特定入賞口を移動させるために遊技者が操作する操作手段と、
特定入賞口への入賞に応じて遊技者に特典を付与する特典付与手段と、
特定入賞口の移動可能範囲を遊技者の介入性が異なる複数の範囲に設定する特定入賞口移動範囲設定手段と、を備えたことを特徴とする。
【０００７】
上記本発明のパチンコ遊技機は、特定入賞口が遊技者の操作により移動可能に設けられている。そして、特定入賞口の移動可能範囲を遊技者の介入性が異なる複数の範囲に設定している。これにより、遊技者の介入度も変化して、特定入賞口への入賞率も変化し面白味を加えることができる。
【０００８】
具体的には、特定入賞口移動範囲設定手段は、特定入賞口の移動可能範囲を遊技者の介入性が高い第１範囲と、この第１範囲よりも遊技者の介入性が低い第２範囲とに設定することを特徴とするとしている。これにより、例えば第１範囲を広い範囲とし、第２範囲を第１範囲より狭い範囲とすることで、遊技者の介入度を変化させ、特定入賞口への入賞率も変化させることができる。また、例えば範囲の幅を同じとし、位置を第１範囲は中央寄り、第２範囲は１端に偏った位置とすることもできる。このようにすれば、第１範囲における中央寄りであれば、玉も集まりやすく遊技者の介入度合いの影響が大きく、１端に偏った第２範囲であれば、遊技者の介入も限定され、介入度に差をつけられる。
【０００９】
また、具体的には、特定入賞口は、役物装置内に入った玉の転動方向下流側において、その転動方向に交差する方向に遊技者の操作により移動自在に設けられ、
特定入賞口移動範囲設定手段は、特定入賞口の移動可能範囲を、遊技領域の交差する方向（幅方向ともいう）の所定幅となる第１範囲と、この第１範囲より狭く幅方向の一部幅となる第２範囲とに設定することを特徴とする。
【００１０】
さらに、具体的には、所定のスタート条件の成立に応じて当たりか否かの抽選を実行する当否抽選手段と、
この当否抽選手段による抽選結果に基づいて図柄を変動表示する図柄変動表示手段と、
図柄変動表示手段が示す特定図柄に基づいて特定入賞口の移動可能範囲を第１範囲又は第２範囲のいずれかに決定する特定入賞口移動範囲決定手段と、を備えたことを特徴とする。
【００１１】
このように、特定入賞口の移動可能範囲が、幅方向の所定幅となる第１範囲と、この第１範囲よりも狭い第２範囲とのいずれかに当否抽選結果の図柄に基づいて決定される。第１範囲に設定されれば、特定入賞口は、所定幅（例えば全範囲）移動可能となる。遊技者の技術介入度に応じて特定入賞口への入賞率も変化する。また、第２範囲に設定されれば、一部幅に移動可能な範囲が限定される。遊技者の介入も限定される。範囲が狭くなれば、遊技者の操作技術の巧拙に影響されにくく、一定量の入賞は得られる。従って、特定入賞口への入賞率の平等性もある程度確保される。このように、移動可能範囲を変化させてさらに面白味を加えることができる。
【００１２】
また、具体的には、開放状態と閉鎖状態とを呈し、所定の開放条件の成立に応じて閉鎖状態から開放状態に変化する役物装置が備える可変入賞口と、
この可変入賞口の開放状態が維持される所定の開放時間内に特定入賞口に入賞した玉の個数を計数する計数手段と、
この計数手段が計数する計数値を表示する入賞個数表示手段と、を備え、
特典付与手段は、可変入賞口が閉鎖状態となった後、計数手段の計数した数量に相当する回数だけラウンドを実行することを特徴とする。
【００１３】
さらに、具体的には、可変入賞口の開放状態が維持される所定開放時間を表示する開放時間表示手段を備えたことを特徴とする。
【００１４】
このように、特定入賞口に入賞した玉の個数を計数し、その数量がラウンド数に設定されるようにしている。特定入賞口の移動可能範囲を変化させ、遊技者の介入度合いにより、特定入賞口への入賞個数が変化し、これによってラウンド数が決まり、出玉の獲得数も変化する。遊技者の介入性を高め、遊技を面白くすることができる。さらに、可変入賞口の開放時間を表示することにより、遊技者が認識でき安心して遊技に集中できる。
【発明を実施するための最良の形態】
【００１５】
（実施例）
以下、本発明の実施の形態につき、図面に示すパチンコ遊技機の実施例を参照して説明する。図１は、本発明のパチンコ遊技機１の正面模式図である。パチンコ遊技機１は、台枠に取り付けられた透明ガラス扉２と、台枠の内側に配置されてガラス扉２によって覆われる遊技盤３を有する。遊技盤３は、円状の遊技領域を形成している。遊技盤３の下方には、玉供給皿４が設けられている。玉供給皿４に準備された玉は、ハンドル５を含んで構成される球発射機構によって遊技盤３に向けて発射される。遊技盤３に達した玉は、その遊技盤３の面上を落下する。
【００１６】
遊技盤３の面上には、その中央付近に役物装置６が配置されている。役物装置６の下方には、スタート入賞口７が配置されている。スタート入賞口７の下方には、役物装置６が備えるＶ入賞口１４に入賞したときに開放するアタッカー８（大入賞口）と、玉を回収するためのアウト口９が設けられている。また、役物装置６の遊技盤に向かって右側に液晶式の図柄表示部１０が配置されている。図柄表示部１０は、３つのキャラクタ（数字）で構成された図柄が変動表示される。役物装置６の上部に可変入賞口１１が設けられている。可変入賞口１１は、遊技盤の天（遊技盤の頂部）の真下に位置するものである。
【００１７】
玉供給皿４の前面左側には、遊技者が操作する移動スイッチ１２が設けられている。移動スイッチ１２は、移動スイッチ左１２ａと移動スイッチ右１２ｂとからなる。遊技者が移動スイッチ１２を操作することにより、役物装置６の移動可能なＶ入賞口１４を左右に移動させ、停止させることができる。
【００１８】
次に、図２はパチンコ遊技機１が備える遊技制御装置２０の電気的構成を概略的に示すブロック図である。遊技制御装置２０は、メイン基板２１、このメイン基板２１に搭載されたＣＰＵ２２、遊技プログラムを格納したＲＯＭ２３、ＲＡＭ２４、入出力回路２５、ＣＰＵ２２からの制御信号の出力が接続される表示制御基板２６、音声制御基板２７、ランプ制御基板２８、払出制御基板２９、発射制御基板３０、この遊技制御装置２０に電源を供給する電源回路３１を含んで構成される。
【００１９】
玉の通過を検出したとき検出信号を出力する検出スイッチとして、スタート入賞検出器３２、役物入賞検出器３３、Ｖ入賞検出器３４及びアタッカー入賞検出器３５が入出力回路２５を介してＣＰＵ２２に接続されている。遊技者が遊技の進行に応じて操作したときに信号を出力する移動スイッチ左１２ａ、移動スイッチ右１２ｂが入出力回路２５を介してＣＰＵ２２に接続されている。ハネ開放用ソレノイド３６が入出力回路２５を介してＣＰＵ２２に接続されている。ＣＰＵ２２からの制御信号によりハネ開放用ソレノイド３６が駆動され、役物装置６の可変入賞口１１を構成するハネ部材１３,１３の開閉が制御される。アタッカー開放用ソレノイド３７が入出力回路２５を介してＣＰＵ２２に接続されており、アタッカー８を開閉するとき制御される。表示制御基板２６ではＣＰＵ２２からの制御信号が入力され、該制御信号に応じて図柄表示部１０、開放時間表示部１５及びスコア表示部１６を制御する。また、音声制御基板２７では音声信号を作成し、音声信号が増幅されスピーカ４０から音声が出力される。ランプ制御基板２８ではＣＰＵ２２からの制御信号が入力され制御信号に応じてランプ４１を制御する。また、払出制御基板２９では制御信号に応じて賞球や貸球の払出装置４２を制御する。発射制御基板３０では同様に玉の発射装置４３を制御する。発射制御基板３０にはハンドル５からの入力が接続される。
【００２０】
ＣＰＵ２２（特典付与手段）は、役物装置６のＶ入賞口１４（特定入賞口）への入賞に応じて遊技者に特典を付与する機能を有している。ＣＰＵ２２（特定入賞口移動範囲設定手段）は、Ｖ入賞口１４の移動範囲を遊技領域の幅方向の所定幅となる第１範囲と第１範囲よりも狭い第２範囲とに設定する機能を有している。ＣＰＵ２２（当否抽選手段）は、所定のスタート条件の成立に応じて当たりか否かの抽選を実行する機能を有している。図柄表示部１０（図柄変動表示手段）は、当否抽選手段による抽選結果に基づいて図柄を変動表示する機能を有している。ＣＰＵ２２（特定入賞口移動範囲決定手段）は、図柄表示部１０が示す特定図柄に基づいて、Ｖ入賞口１４の移動可能範囲を第１範囲又は第２範囲のいずれかに決定する機能を有している。
【００２１】
ＣＰＵ２２（計数手段）は、可変入賞口１１の開放状態が維持される所定の開放時間内にＶ入賞口１４に入賞した玉の個数を計数する機能を有している。スコア表示部１６（入賞個数表示手段）は、ＣＰＵ２２が計数する計数値を表示する機能を有する。ＣＰＵ２２（特典付与手段）は、可変入賞口１１が閉鎖状態となった後、ＣＰＵ２２の計数した数量に相当する回数だけラウンドを実行する機能を有している。開放時間表示部１５（開放時間表示手段）は、可変入賞口１１の開放状態が維持される所定開放時間を表示する機能を有している。
【００２２】
図３は役物装置６の構成を示す正面図である。役物装置６は、ほぼ左右対称に構成されている。その対称面での断面図が図４である。遊技盤３のほぼ中央に配置された役物装置６は、その内側に空間が形成される役物本体６ａと、上部に位置する可変入賞口１１と、正面側に位置するＶ入賞口１４と、開放時間表示部１５及びスコア表示部１６とを備える。開放時間表示部１５及びスコア表示部１６の表示方式は液晶式（あるいはＬＥＤ式）が採用できる。
【００２３】
可変入賞口１１は、入賞口の両側にハネ部材１３,１３が可動自在に設けられ、動作時に左右に開くように可変式の入賞口として構成されている。すなわち非動作時には閉鎖した第１状態（図３に破線で示す状態）を呈し、動作時に開放した第２状態（図３に実線で示す状態）を呈するものである。可変入賞口１１の開放により、役物装置６内への玉の入賞が許容される仕組みである。
【００２４】
Ｖ入賞口１４は、正面からみて役物装置６の内側空間部の下端部（遊技領域の終端部）において、玉の進行方向に直行する方向ＷＬ（以下幅方向ＷＬという）に可動自在に設けられている。Ｖ入賞口１４はモータ等のアクチュエータで駆動され、遊技者が移動スイッチ１２を操作することにより左右に移動するように設けられている。
【００２５】
可変入賞口１１のハネ部材１３，１３は、図２のブロック図に示したハネ開放用ソレノイド３６にそれぞれ連結されている。図１に示したスタート入賞口７に玉が入賞した場合、スタート入賞口７に付設されたスタート入賞検出器３２からの入賞検出信号がＣＰＵ２２に伝送される。ＣＰＵ２２に入賞検出信号が入力されたタイミングに応じて、ＣＰＵ２２が大当たり判定用カウンタから乱数値を取得し、その乱数値が大当たり乱数に一致するか否かを判定することにより大当たり抽選を行っている。抽選処理で乱数値が大当たり乱数である場合、大当たり条件成立となる。図柄表示部１０には、例えば「７７７」と停止図柄が表示される。
【００２６】
抽選で大当たりの場合に、ハネ部材１３，１３を開放状態とするために、ハネ開放用ソレノイド３６を駆動する。ハネ開放用ソレノイド３６が非励磁状態から励磁状態に変化した場合（励磁状態から非励磁状態に変化する場合もある）、ハネ部材１３，１３は、玉が可変入賞口１１に入賞不可能もしくは入賞困難な第１状態（図３の破線で示した状態）から、入賞可能な第２状態（図３の実線で示した状態）に変位する。これにより役物装置６は、玉の入賞を許容する開放状態と、許容しない閉鎖状態とを呈することとなる。ハネ部材１３,１３は、玉の入賞の如何に関わらず、所定時間（本実施例では２０秒間）第２状態を保ったあと再び閉じる（第１状態に変位する）。
【００２７】
ハネ部材１３,１３が上記第２状態に変位すれば、玉は役物装置６内に入賞することができる。ただし、第１状態から第２状態への変位の最中（閉鎖→開放）、あるいは第２状態から第１状態への変位の最中（開放→閉鎖）にも入賞の可能性はある。可変入賞口１１に入賞した玉は、まず、ワープ入口１７ａに導かれる。ワープ入口１７ａは、ワープ出口１７ｂに連通しており、玉は、流通経路１７を通ってワープ出口１７ｂより役物本体６ａ内のステージ面６ｂ上に排出される。ワープ入口１７ａからワープ出口１７ｂに繋がる流通経路１７の中途には、役物入賞検出器３３（図２参照）が設置されており、これにより役物装置６への玉の入賞が検出される。
【００２８】
図４の断面図に示すように、役物本体６ａのステージ面６ｂは、役物本体６ａの内側面を構成するとともに、パチンコ遊技機１のガラス扉２側を前方側、台の裏側にあたる側を後方側としたとき、前方側が低くなるように傾斜した平坦面とされる。ステージ面６ｂの後方側の中央に位置するワープ出口１７ｂより排出された玉は、ステージ面６ｂの前方側に向かって転動する。前方側には遊技領域の終端部に左右可動式に設けられたＶ入賞口１４と、このＶ入賞口１４の運動方向と同じ方向に横長に開口部を有しハズレ玉の受入れ部となるハズレ口１８とが設けられている。玉はＶ入賞口１４に入賞するか、あるいはハズレ口１８のいずれかに入る。Ｖ入賞口１４に入賞しない場合すべてハズレとなる。
【００２９】
ステージ面６ｂ上には、玉に接触して玉の経路を変化させる障害突起１９,１９・・・（変更部材）が複数設けられている。障害突起１９,１９・・・は、玉の通過が可能となるように所定間隔を維持して設けられる。障害突起１９,１９・・・によって、玉の転動方向及び速度が変化するようにしている。遊技者には玉の経路を予測することが要求される。役物装置６の内側空間部の下端部（遊技領域の終端部）において、障害突起１９ａ,
１９ｂ, １９ｃ, １９ｄが４個設けられ、隣接する障害突起１９ａ, １９ｂ, １９ｃ, １９ｄとの間隔が玉１個分通過可能な長さに設定されている。
【００３０】
Ｖ入賞口１４の移動可能な範囲は、本実施例では複数設定されている。移動可能範囲は、役物装置６内の遊技領域の終端部において、玉の進行方向に直行する幅方向の全幅となる第１範囲ＷＬ１と、幅方向の３／５となる第２範囲ＷＬ２とのいずれか１つが決定される。第２範囲ＷＬ２は、幅方向の中央寄り３／５の範囲を占める。前述の障害突起１９ａから１９ｄ間に相当し、玉３個が通過可能な範囲の設定となる。因みに全幅の場合、玉５個が通過可能に設定される（図３参照）。第１範囲ＷＬ１の両端及び第２範囲ＷＬ２の両端にはそれぞれリミットスイッチが設けられ、このリミットスイッチの作動・不作動により、Ｖ入賞口１４を定められた範囲内で左右に移動可能としている。すなわちＶ入賞口１４を駆動するモータの停止・回転駆動がリミットスイッチからの信号により制御される。
【００３１】
上記移動可能範囲は、大当たり抽選に基づいて決定される。すなわち大当たり図柄が奇数、例えば「７７７」、「３３３」等の場合に第１範囲ＷＬ１（全範囲）とする。また、大当たり図柄が偶数、例えば「６６６」、「２２２」等の場合に第２範囲ＷＬ２（３／５範囲）とする。
【００３２】
遊技者が操作する移動スイッチ１２は、可変入賞口１１の開放状態が維持される所定時間（本実施例では２０秒間）有効化されるように設定されている。可変入賞口１１から役物装置６内に入賞した玉を受けるため、移動スイッチ左１２ａもしくは移動スイッチ右１２ｂを操作することにより、前述の移動範囲内において、Ｖ入賞口１４を左右に移動させ、停止させることができる。遊技領域の終端部において、障害突起１９ａ, １９ｂ, １９ｃ, １９ｄがあり、玉の転動方向が変化し、変化に追随してＶ入賞口１４を移動操作させる技術が要求されることになる。
【００３３】
本実施例では、玉の発射装置４３（発射手段）は、手動及び自動で玉の発射が可能に構成されている。すなわち発射制御基板３０は、ＣＰＵ２２からの制御信号により自動発射操作部５０を駆動制御する。自動発射操作部５０が駆動されることにより、発射装置４３が自動発射モードに切換えとなり、遊技者のハンドル５の操作によらず、玉を発射する。自動発射操作部５０は、ＣＰＵ２２からの制御信号により発射装置４３の発射用ソレノイド５１を励磁して駆動し玉を自動発射できる。このときに自動発射操作部５０は、発射強さを自動調整する発射強さ調整部５２を有している。発射強さ調整部５２は、発射装置４３の発射用ソレノイド５１の励磁力を調整して玉の飛距離調整を行うことができる。遊技盤３の天の真下にある可変入賞口１１に玉が入賞し易い位置に玉を発射する強さに調整される。
【００３４】
次に、図５に示すフローチャートに従って制御フローについて説明する。図５は基本処理のフローを示している。ステップＳ１において、図柄変動処理を実行する。スタート入賞口７に入賞があった場合、大当たり抽選が行われ、抽選結果に基づいて図柄表示部１０が変動表示される。ステップＳ２において、大当たり図柄か否かを判定する。
【００３５】
ＹＥＳの場合（大当たり場合）、ステップＳ３において、自動発射モードに切換えられる。ＣＰＵ２２からの制御信号が発射制御基板３０に入力され、この制御信号によって自動発射操作部５０が駆動され発射装置４３が自動で玉を発射するモードに切換えられる。あわせてステップＳ４において、可変入賞口１１が開放される。ハネ開放用ソレノイド３６が駆動され、ハネ部材１３,１３が開放状態となる。自動発射モードが実行されるときに発射強さも調整され、可変入賞口１１に入賞し易い位置に玉が発射される。
【００３６】
ステップＳ２においてＹＥＳの場合（大当たりの場合）、その大当たり図柄によってＶ入賞口１４の移動範囲が決定される。図１において、図柄表示部１０に「７７７」と表示されている。大当たり図柄が奇数の場合、Ｖ入賞口１４の移動範囲は第１範囲ＷＬ１（全範囲）に設定される。
【００３７】
あわせてステップＳ５において、開放時間表示部１５に残時間のカウントダウンを表示開始する。タイマを、メイン基板２１のＲＡＭ２４の所定領域に設定する。本実施例では、可変入賞口１１の開放状態を維持する期間として２０秒間が設定されている。この時間（２０秒間）はＲＡＭ２４の開放時間メモリに設定される。設定されると同時にタイマがスタートされ、開放残時間がカウントダウンされる。ＲＡＭ２４の開放時間記憶領域に記憶され、結果として開放時間表示部１５に残時間が表示される。図３において、「００：１２」と表示されている。残時間が１２秒であることを表している。
【００３８】
可変入賞口１１の開放状態が維持される期間、移動スイッチ１２の操作が有効となる。遊技者が移動スイッチ左１２ａもしくは移動スイッチ右１２ｂを操作することにより、移動範囲の第１範囲ＷＬ１内においてＶ入賞口１４を移動させることができる。これにより、可変入賞口１１から役物装置６に入った玉がステージ面６ｂ上において、障害突起１９,１９・・・により転動方向及び速度を変化させられつつ落下してくる動きを見ながら、玉をＶ入賞口１４に受けるように操作が可能となる。遊技領域の終端部において、障害突起１９ａ,
１９ｂ, １９ｃ, １９ｄが設けられ、Ｖ入賞口１４に入る寸前で方向が変化されることもあり、Ｖ入賞口１４の移動に集中することが要求される。玉の発射は自動発射であり、ハンドル５の操作が不要となり、遊技者はＶ入賞口１４の移動操作に専念できる。
【００３９】
次に、ステップＳ６において、開放残時間が「０」に達したか否かを判定する。ＮＯの場合、ステップＳ７において、可変入賞口１１に入賞があったか否かを判定する。役物入賞検出器３３で可変入賞口１１から役物装置６への入賞を検出する。ＹＥＳの場合、スコア表示部１６の表示を更新する。スコア表示部１６は、可変入賞口１１に入賞した個数及びＶ入賞口１４に入賞した個数を表示する。ＣＰＵ２２においてそれぞれの入賞個数を計数し、ＲＡＭ２４の入賞個数記憶領域で記憶し結果としてスコア表示部１６に表示する。図３において、「５／１０」と表示されている。可変入賞口１１への入賞数１０個に対し、Ｖ入賞口１４の入賞数が５個であることを表している。
【００４０】
ステップＳ７においてＮＯの場合、ステップＳ９において、Ｖ入賞口１４に入賞があったか否かを判定する。Ｖ入賞検出器３４でＶ入賞口１４への入賞を検出する。ＹＥＳの場合、ステップＳ８において、スコア表示部１６の表示が更新される。続いてステップＳ６に移行し、開放残時間がある限り上記ステップが繰り返される。ステップＳ９においてＮＯの場合、ステップＳ６に移行し前述同様ステップが繰り返し行われる。
【００４１】
次に、ステップＳ６においてＹＥＳの場合（開放残時間が「０」に達した場合）、ステップＳ１０において、可変入賞口１１を閉鎖する。ハネ部材１３,１３が閉鎖状態となる。あわせてステップＳ１１において、手動発射モードに切換えられる。ＣＰＵ２２からの制御信号が発射制御基板３０に入力され、この制御信号によって自動発射操作部５０の駆動が停止される。ハンドル５の操作により発射装置４３が作動される。
【００４２】
次に、ステップＳ１２において、Ｖ入賞口１４に入賞した個数をラウンド数にセットする。本実施例では大当たり動作におけるラウンド数は、Ｖ入賞口１４に入賞した数量だけ設定される。ステップＳ１３において、アタッカー開放用ソレノイド３７の駆動によりアタッカー８が開放される。次に、ステップＳ１４において、大当たり処理が実行される。設定されたラウンド数に基づいて、アタッカー８の開放、閉鎖が繰り返し行われる。従って、ラウンド数は固定ではなく、Ｖ入賞口１４の入賞個数によって変化する。アタッカー８に入賞があった場合、アタッカー入賞検出器３５で検出し所定の賞球数（本実施例では１５個）の払出が行われる。以降、ラウンドが消化され、設定されたラウンド数が実行される。
【００４３】
このように、Ｖ入賞口１４の移動可能範囲を、幅方向の全幅となる第１範囲ＷＬ１と、この第１範囲ＷＬ１よりも狭い第２範囲ＷＬ２（３／５範囲）とのいずれかに大当たり図柄に基づいて設定される。第１範囲ＷＬ１に設定されれば、Ｖ入賞口１４は、全範囲移動可能となる。遊技者の技術介入度に応じて特定入賞口への入賞率も変化する。一方、第２範囲ＷＬ２に設定されれば、３／５範囲幅に移動可能な範囲が限定される。遊技者の介入も限定される。範囲が狭くなれば、遊技者の操作技術の巧拙に影響されにくく、一定量の入賞は得られる。また、移動可能範囲外において、遊技者は共通に関与できない。従って、Ｖ入賞口１４への入賞率の平等性もある程度確保される。このように、移動可能範囲を変化させてさらに面白味を加えることができる。移動可能範囲の変化があって第１及び第２のいずれの範囲に設定されようとも、自動発射によってハンドル操作が不要のため、遊技者においては移動可能範囲の変化に対応することが可能である。
【００４４】
また、Ｖ入賞口１４に入賞した玉の個数をＣＰＵ２２が計数し、その数量がラウンド数に設定されるようにしている。遊技者の介入度により、Ｖ入賞口１４への入賞個数が変化し、これによってラウンド数が決まり、出玉の獲得数も変化する。遊技者の介入性を高め、遊技を面白くすることができる。また、可変入賞口１１の開放残時間を開放時間表示部１５に表示することにより、遊技者が認識でき安心して遊技に集中できる。
【００４５】
また、Ｖ入賞口１４が移動可能な期間に対応して、発射装置４３を制御して玉を自動発射するようにしている。これにより、遊技者は発射のためにハンドル５を操作しなくてもよく、Ｖ入賞口１４の移動操作に専念可能となる。Ｖ入賞口１４を移動させることで、入賞率を高めることができる。遊技者の介入性を高めるとともに、Ｖ入賞口１４の移動に遊技者が意識を集中することが可能となる。また、開放した可変入賞口１１へ玉が入賞し易い位置に発射強さを調整して自動発射させるため、玉が無駄になることなく、むしろ可変入賞口１１に入賞する玉の増加も期待できる。入賞する玉が増加した場合、連続して流れてくる玉に対して頻繁なＶ入賞口１４の移動操作が要求されるが、遊技者はＶ入賞口１４の移動操作に集中できる。可変入賞口１１は、遊技盤３の天の真下にあり、この位置に合わせて玉の発射強さを調整することが可能である。また、遊技領域の終端部において、玉の経路を変更する障害突起１９ａ, １９ｂ, １９ｃ, １９ｄがあり、玉の転動方向や速度が変化し、変化に追随してＶ入賞口１４を移動操作させる技術が要求されることになるが、玉の動きを見ながら、移動スイッチ左１２ａと移動スイッチ右１２ｂの操作に集中でき、Ｖ入賞口１４を最適な位置に移動可能となる
【００４６】
なお、本実施例では、Ｖ入賞口１４の移動可能範囲の決定を大当たり図柄で行っているが、これに限定されるものはない。例えばスタート入賞口を２個設け、第１スタート入賞口に入賞の場合に、移動範囲を第１範囲、第２スタート入賞口に入賞の場合、移動範囲を第２範囲としてもよい。移動可能範囲の決定タイミングは、大当たり発生したときに限らず、大当たり発生前に予め決めておいてもよい。
【００４７】
また、移動可能範囲は、本実施例では、第１範囲を全幅範囲、第２範囲を３／５範囲としているが、これに限定されるものではない。第１範囲は最大で全幅までとし、第２範囲は最小で幅ゼロまでとしてもよい。すなわち第２範囲の場合、固定もあり得るとしてもよい。なお、例えば範囲の幅を同じ（３／５範囲）とし、位置を第１範囲は中央寄り、第２範囲は幅方向の１端に偏った位置とすることもできる。このようにすれば、第１範囲における中央寄りであれば、玉も集まりやすく遊技者の介入度合いの影響が大きく、１端に偏った第２範囲であれば、遊技者の介入も限定され、介入度に差をつけられる。また、移動可能範囲は、２つに限定されることなく２つ以上でもよい。例えば第1範囲を全幅範囲、第２範囲を３／５範囲、第３範囲を固定としてもよい。移動範囲の決定方法としては、大当たり図柄が、「１１１」、「４４４」、「７７７」の場合に第1範囲、「２２２」、「５５５」、「８８８」の場合に第２範囲、「３３３」、「６６６」、「９９９」の場合に第３範囲としてもよい。移動可能範囲は、多く増やせばそれなりの効果をあげられるが、２つの範囲の設定であれば、ほどよく遊技性を向上させつつ、かつ決定方法も簡単に実現でき好ましい。
【００４８】
なお、本実施例では、可変入賞口１１の開放条件を、大当たり抽選結果を示す図柄を変動表示する図柄表示部１０が大当たり図柄を表示したときとしているが、これに限定されるものではない。例えば遊技盤３の面上に特別入賞口を設け、この特別入賞口に入賞したときに開放条件成立としてもよい。
【００４９】
また、本実施例では、Ｖ入賞口１４に入賞した個数でラウンド数を設定しているが、これに限定されるものではない。Ｖ入賞口１４に入賞した個数で、１つのラウンドにおける入賞可能個数を設定してもよい。通常、１つのラウンドにおける入賞可能個数は１０個に設定されるが、Ｖ入賞口１４の入賞個数によって変化するようにしてもよい。また、Ｖ入賞口１４に入賞した個数で、賞球数を設定してもよい。通常、賞球数は１５個に設定されるが、Ｖ入賞口１４の入賞個数に基づいて賞球数を変化させてもよい。このように、Ｖ入賞口１４の入賞個数に基づいて遊技者にとって有利な度合いが変化するようにして面白味を加えることができる。
【図面の簡単な説明】
【００５０】
【図１】本発明のパチンコ遊技機の正面図。
【図２】本発明のパチンコ遊技機の電気的構成を示すブロック図。
【図３】役物装置の構成を示す正面図。
【図４】役物装置の構成を示す断面図。
【図５】基本処理を示すフローチャート。
【符号の説明】
【００５１】
１    パチンコ遊技機
６    役物装置
７    スタート入賞口
８    アタッカー
１０  図柄表示部（図柄変動表示手段）
１１  可変入賞口
１２  移動スイッチ（操作手段）
１４  Ｖ入賞口（特定入賞口）
１５  開放時間表示部（開放時間表示手段）
１６  スコア表示部（入賞個数表示手段）
２２  ＣＰＵ（特典付与手段、特定入賞口移動範囲設定手段、当否抽選手段、特定入賞口移動範囲決定手段、計数手段）
４３  発射装置
【図１】
2005118424.tif 000003
【図２】
2005118424.tif 000004
【図３】
2005118424.tif 000005
【図４】
2005118424.tif 000006
【図５】
2005118424.tif 000007